(57)【要約】【課題】  回転多面鏡の高速回転に伴って発生する騒音を低減し、等速回転で安定した回転性能が得られる光偏向器を提供する。【解決手段】  側面に複数の光反射面２１ａを備えた多角柱状の回転多面鏡２１と、回転多面鏡２１を覆い光ビームＬを回転多面鏡２１の光反射面２１ａに導光する開口部３２Ｃを形成した保護ケース３２と、開口部３２Ｃを遮蔽する透明な防音ガラス３３と、を有する光偏向器において、防音ガラス３３の平面と、保護ケース３２の開口部３２Ｃの端部において防音ガラス３３に当接する位置における内壁面とのなす角度θを、θ＞１１０°に形成した光偏向器。【選択図】        図３
2005301081.tif 000002
【特許請求の範囲】
【請求項１】
側面に複数の光反射面を備えた多角柱状の回転多面鏡と、前記回転多面鏡を覆い光ビームを前記回転多面鏡の光反射面に導光する開口部が形成された保護ケースと、前記保護ケースの前記開口部を遮蔽する透明な防音ガラスと、を有する光偏向器において、
前記防音ガラスの平面と、前記保護ケースの前記開口部の端部において前記防音ガラスに当接する位置のおける内壁面とのなす角度θを、θ＞１１０°に形成したことを特徴とする光偏向器。
【請求項２】
側面に複数の光反射面を備えた多角柱状の回転多面鏡と、前記回転多面鏡を覆い光ビームを前記回転多面鏡の光反射面に導光する開口部を形成した保護ケースと、前記保護ケースの前記開口部を遮蔽する透明な防音ガラスと、を有する光偏向器において、
前記回転多面鏡の光反射面の法線で前記回転多面鏡の回転中心を通る最小回転半径による回転軌跡と、前記回転多面鏡の回転中心から前記回転多面鏡の稜線部までの最大回転半径による回転軌跡とに挟まれる領域と、前記回転多面鏡の厚みｔとで形成される空間領域をＺと定義し、
前記空間領域Ｚのあらゆる面から所定距離ｒだけ離れた領域を圧縮緩和領域Ｗと定義し、
前記所定距離ｒを厚みｔの１倍乃至３倍とし、且つ、前記保護ケース、前記防音ガラス、その他あらゆる部材を前記圧縮緩和領域Ｗの領域外に配置することを特徴とする光偏向器。
【請求項３】
側面に複数の光反射面を備えた多角柱状の回転多面鏡と、前記回転多面鏡を覆い光ビームを前記回転多面鏡の光反射面に導光する開口部を形成した保護ケースと、前記保護ケースの前記開口部を遮蔽する透明な防音ガラスと、を有する光偏向器において、
前記回転多面鏡の回転中心から前記回転多面鏡の稜線部までの最大回転半径Ｒ、
前記回転多面鏡の回転中心からの半径Ｓによる回転軌跡と、前記最大回転半径Ｒによる回転軌跡との間に挟まれた面積に、前記回転多面鏡の回転軸方向の厚みｔを乗じた空間領域Ｆ（Ｆ＝π（Ｓ−Ｒ）2×ｔ、πは円周率）、と定義し、
前記空間領域Ｆの前記半径Ｓを、Ｓ≧１．２Ｒに設定し、且つ、前記空間領域Ｆには、前記保護ケース、前記防音ガラスが接触しないように構成したことを特徴とする光偏向器。
【発明の詳細な説明】
【技術分野】
【０００１】
本発明は、レーザビームプリンタ、レーザ複写機、レーザファクシミリ等の画像形成装置やバーコードリーダ等に用いられる光偏向器に関するものである。
【背景技術】
【０００２】
レーザビームプリンタ等の画像形成装置においては、その画像の書き込み手段として読み取った情報を基にレーザ光を等速回転する回転多面鏡に入光させ、反射光を走査させて感光体面に投影し画像記録を行っている。
【０００３】
回転多面鏡は低速回転の場合には、駆動モータの回転軸に直接固定して使用されるが、高速回転となると回転多面鏡を外筒部材に固定し、固定配置された内筒部材に対して触れることなく浮き上がった形で回転する空気動圧軸受（エアベアリング）を用いての駆動回転が行われる。また、空気動圧軸受は、非接触で回転するため、長寿命、低騒音などの利点がある。
【０００４】
空気動圧軸受は、支持ベース部材上に固定された下スラスト板、固定軸受部材、上スラスト板と、回転多面鏡を固定して回転可能な回転軸受部材とにより構成されている。回転多面鏡は、基台上に固定されたマグネットコイルと、回転多面鏡と一体となりロータを構成する磁石とから成る駆動モータにより駆動回転される。
【０００５】
支持ベース部材上に固設した固定軸受部材に対向して回転する回転軸受部材を有するロータユニットは、ラジアル動圧軸受部において相互の間でのラジアル動圧回転が行われる。また、固定軸受部材の両軸端部には、固定軸受部材の軸と垂直面をなすスラスト板が固定されていて、上下に位置した上スラスト板と下スラスト板に挟まれた形で回転する回転軸受部材は、上下のスラスト動圧軸受部においてスラスト動圧回転が行われる。
【０００６】
マグネットコイルと磁石とから成る駆動モータによるロータの回転時には、ロータは動圧軸受に触れることなく、空中に浮き上がった非接触状態で、円滑な高速回転が持続される。
【０００７】
ロータの回転に伴って回転多面鏡も回転し、半導体レーザから射出されたレーザビームは感光体に向けて偏向走査する。
【０００８】
回転多面鏡の周辺の空気流を整流して回転を安定化し、回転多面鏡の回転に伴う風切り音を低下させるとともに発生する騒音を低減させる公知技術としては、特許文献１、特許文献２、特許文献３、特許文献４等に開示されている。
【０００９】
特許文献１に記載の光偏向器は、回転多面鏡の回転空間を回転多面鏡の回転中心と一致する中心を有する円筒形状に形成したものである。
【００１０】
特許文献２に記載の光偏向器は、回転多面鏡を覆う保護ケースの内部に複数のセグメント内壁を設け、回転多面鏡とセグメント内壁との間に複数の空気流路を形成し、これらの空気流路に流れる圧力変動に伴う空気流が相互に干渉して圧力変動を減衰するものである。
【００１１】
特許文献３に記載の光偏向器は、回転多面鏡の光反射面と対向するカバーの内周面を回転体の回転中心軸と同軸の円筒状に形成するとともに、開口部をカバーの円筒状の内周面所定箇所に形成し、回転体の回転中心軸方向の開口部の長さを回転多面鏡の板厚に対して＋１ｍｍ以下に設定するものである。
【００１２】
特許文献４に記載の光偏向器は、カバーの開口部近傍の内周壁に突起を設ける事により、回転多面鏡が同位相で圧力変動しない構成にしたものである。
【特許文献１】特開平８−５９４７号公報
【特許文献２】特開２００１−２４９２９８号公報
【特許文献３】特開平７−３０６３７３号公報
【特許文献４】特開平１０−２２１６３０号公報
【発明の開示】
【発明が解決しようとする課題】
【００１３】
従来の光偏向器においては、空気動圧軸受により高速回転させると、負荷となる風損が大きいため、回転が不安定となり、ジッタ特性が悪化するという問題がある。
【００１４】
また、回転多面鏡の等速回転時の速度ムラを解消するため、回転多面鏡を含む回転体の質量を増して慣性力を増大させると、光偏向器の起動特性が低下する。
【００１５】
更に、回転多面鏡を収容する光学ケースと、回転多面鏡の外周面の回転軌跡との距離が不均一なため、回転多面鏡が１回転する間に、空気抵抗の変化により、回転多面鏡の回転が不安定になり、ジッタ特性が悪化するという問題がある。
【００１６】
特許文献１に記載された光偏向器では、防音ガラス部近傍において大きな圧力変動を発生するために、騒音に対する効果が無いことが明らかである。
【００１７】
特許文献２に記載された光偏向器では、圧力変動に関してはむしろ助長する効果が発生し、広帯域騒音を生成するとともに、空間を拡げるためにトルクが増大する事は明らかである。
【００１８】
特許文献３に記載された光偏向器では、空間を必要最低限にするという意味でトルク低減に寄与するが、乱流を抑制するという効果は認められない。
【００１９】
特許文献４に記載された光偏向器では、ポンプなどで用いられる手法で、ファンなどにも用いられている技術であり、「回転多面鏡の面数×回転数」の周波数卓越音を低減するものである。
【００２０】
上述の特許文献では、回転体の高速回転時の回転トルクの低減と風切り音の低減技術が記載されているが、本発明は、これらと異なる全く別のアプローチで著しい効果を発揮するものである。
【００２１】
即ち、本発明は、光偏向器における上記の問題点を解消して、光偏向器の等速回転で安定した回転性能、高速回転時の回転トルクの低減、風切り音の低減が得られる光偏向器、及び光偏向器を備えた光走査装置を提供することを目的とするものである。
【課題を解決するための手段】
【００２２】
請求項１に記載の光偏向器は、側面に複数の光反射面を備えた多角柱状の回転多面鏡と、前記回転多面鏡を覆い光ビームを前記回転多面鏡の光反射面に導光する開口部が形成された保護ケースと、前記保護ケースの前記開口部を遮蔽する透明な防音ガラスと、を有する光偏向器において、前記防音ガラスの平面と、前記保護ケースの前記開口部の端部において前記防音ガラスに当接する位置のおける内壁面とのなす角度θを、θ＞１１０°に形成したことを特徴とする。
【００２３】
請求項２に記載の光偏向器は、側面に複数の光反射面を備えた多角柱状の回転多面鏡と、前記回転多面鏡を覆い光ビームを前記回転多面鏡の光反射面に導光する開口部を形成した保護ケースと、前記保護ケースの前記開口部を遮蔽する透明な防音ガラスと、を有する光偏向器において、前記回転多面鏡の光反射面の法線で前記回転多面鏡の回転中心を通る最小回転半径による回転軌跡と、前記回転多面鏡の回転中心から前記回転多面鏡の稜線部までの最大回転半径による回転軌跡とに挟まれる領域と、前記回転多面鏡の厚みｔとで形成される空間領域をＺと定義し、前記空間領域Ｚのあらゆる面から所定距離ｒだけ離れた領域を圧縮緩和領域Ｗと定義し、前記所定距離ｒを厚みｔの１倍乃至３倍とし、且つ、前記保護ケース、前記防音ガラス、その他あらゆる部材を前記圧縮緩和領域Ｗの領域外に配置することを特徴とする。
【００２４】
請求項３に記載の光偏向器は、側面に複数の光反射面を備えた多角柱状の回転多面鏡と、前記回転多面鏡を覆い光ビームを前記回転多面鏡の光反射面に導光する開口部を形成した保護ケースと、前記保護ケースの前記開口部を遮蔽する透明な防音ガラスと、を有する光偏向器において、前記回転多面鏡の回転中心から前記回転多面鏡の稜線部までの最大回転半径Ｒ、前記回転多面鏡の回転中心からの半径Ｓによる回転軌跡と、前記最大回転半径Ｒによる回転軌跡との間に挟まれた面積に、前記回転多面鏡の回転軸方向の厚みｔを乗じた空間領域Ｆ（Ｆ＝π（Ｓ−Ｒ）2×ｔ、πは円周率）、と定義し、前記空間領域Ｆの前記半径Ｓを、Ｓ≧１．２Ｒに設定し、且つ、前記空間領域Ｆには、前記保護ケース、前記防音ガラスが接触しないように構成したことを特徴とする。
【発明の効果】
【００２５】
本発明の整流部材を備えた光偏向器及び光走査装置は、上述のように構成されているので、以下に記載する効果が得られる。
【００２６】
（１）  従来の光偏向器の構成のように、防音ガラスの平面と、保護ケースの開口部の端部において防音ガラスに当接する位置における内壁面とのなす角度θが１１０°未満であると、防音ガラスに近い空間部と防音ガラスから遠い空間部とに圧力差が生じる。回転多面鏡の光反射面の１点に着目すれば、回転多面鏡の回転角によって圧力が大きく変動し、騒音発生源となる。請求項１に記載の発明によれば、角度θを１１０°以上に設定する事により圧力差が減少し、騒音の発生を低減させる事ができる。
【００２７】
（２）  保護ケースの任意箇所より観測すると、回転多面鏡の一辺の通過毎に圧力変動を生じて、これが騒音源となるが、これを回避するためには回転多面鏡の光反射面から保護ケースの内壁面までの所定距離ｒを大きくすることで圧力変動幅を小さくする事であるが、所定距離ｒを回転多面鏡の厚みｔの３倍を超えるようにしても騒音低減の効果は顕著ではなく、また、厚みｔの３倍を超えるようにする事は、保護ケース内部の流体体積が増え、回転多面鏡の回転トルクが無駄に増加する事になる。請求項２に記載の発明によれば、所定距離ｒを回転多面鏡の厚みｔの３倍以下にして、且つ、圧縮緩和領域には、保護ケース、防音ガラス、その他あらゆる部材を配置しない構成にすることにより、騒音低減、回転むらの低減、回転駆動のための消費電力の低減を達成する。
【００２８】
（３）  請求項３に記載の発明によれば、回転多面鏡の回転中心から最も遠い稜線部と回転多面鏡の回転中心までの最大回転半径Ｒ、回転多面鏡の回転中心からの半径Ｓで回転多面鏡の厚さの空間領域、としたとき、空間領域の半径Ｓを、Ｓ≧１．２Ｒとし、且つ、この空間領域には、保護ケース、防音ガラス、その他あらゆる部材を配置しない構成にする事により、回転多面鏡の風切り音を低下させる事が出来るとともに、発生する騒音を低減させる事が出来る等の効果が得られる。
【発明を実施するための最良の形態】
【００２９】
次に、本発明の光偏向器、光走査装置を図面に基づいて説明する。
【００３０】
［光走査装置］
次に、本発明の光偏向器を備えた光走査装置の実施の形態を図面に基づいて説明する。
【００３１】
レーザプリンタ等の画像形成装置においては、その画像の書き込み手段としての光走査装置を有し、読み取った情報を基にレーザビームを光偏向器の高速回転する回転多面鏡に入光させ、反射光を走査させて像担持体の感光体面に投影して画像記録を行う。
【００３２】
図１は保護カバーを外した状態の光走査装置１０の一実施の形態を示す斜視図である。
【００３３】
図１において、１１は光走査装置本体（光学ケースとも称す）、１２はｆθレンズ、１３は第２シリンドリカルレンズ、１４はカバーガラス、１５は半導体レーザ、１６はコリメートレンズ、１７は第１シリンドリカルレンズ、１８はタイミング検出用のインデックスミラー、１９は同期検知用のインデックスセンサ、２０は回転多面鏡２１等から成る光偏向器である。
【００３４】
上記の光偏向器２０、及び走査光学系光学部材１２〜１９は、光走査装置本体１１内の所定位置に配置、固定されている。
【００３５】
半導体レーザ１５から射出した光ビームＬは、コリメートレンズ１６により平行光になり、次いで第１結像光学系の第１シリンドリカルレンズ１７を透過して回転多面鏡２１に入射する。回転多面鏡２１の反射光は、ｆθレンズ１２、第２シリンドリカルレンズ１３から成る第２結像光学系を透過し、カバーガラス１４を通過して像担持体１の周面上に、所定のスポット径で、副走査方向に所定ピッチずれた状態で走査する。なお、主走査方向は図示しない調整機構により、既に微調整してある。１ライン毎の同期検知は、走査開始前の光束をインデックスミラー１８を介して、インデックスセンサ１９に入射させる。
【００３６】
回転多面鏡２１を回転体として高速回転する光偏向器２０では、回転体（ロータユニット）と非回転体（ステータユニット）との間に空気動圧軸受を設けて、回転体が高速回転される。
【００３７】
［光偏向器］
図２は、光偏向器２０の斜視図である。プリント基板３０上には、集積回路、コンデンサ、コネクタ等が配置されている。
【００３８】
図２（ａ）は保護カバーを外した状態の光偏向器２０の平面図、図２（ｂ）は光偏向器２０の断面図である。
【００３９】
光偏向器２０は、ロータユニットとステータユニットとから構成されている。
【００４０】
光偏向器２０の高速回転を行うユニットであるロータユニットは、回転多面鏡２１、回転軸を中心とした円筒状の回転軸受部材（以下、外筒部材と称す）２２、外筒部材２２の外周面を固定し回転多面鏡２１の内周面に嵌合するフランジ部材２３、回転駆動用の磁石２４、ロータヨーク２４Ａから成る。
【００４１】
外筒部材２２の内径は、ステータユニットの固定軸受部材（以下、内筒部材と称す）２６の外径より、数μｍの調整された微小間隔だけ大きい。この外筒部材２２の内周面と内筒部材２６の外周面とで、ラジアル動圧軸受部を構成している。この外筒部材２２は、アルミナ、窒化珪素等のセラミックにより成形されていることが、安定した回転を得る上で好ましい。
【００４２】
また、外筒部材２２の上端面は、上スラスト板２７のスラスト面と対向し、上スラスト動圧軸受部を構成している。同じく外筒部材２２の下端面は下スラスト板２８のスラスト面と対向し、下スラスト動圧軸受部を構成している。
【００４３】
対向したスラスト動圧軸受部のスラスト面には、動圧発生溝が形成されている。ロータユニットは本体固定部に対しスラスト動圧軸受部においてスラスト回転が行われる。
【００４４】
フランジ部材２３と回転多面鏡２１とは、等しい熱膨張係数を有する同じ材料、例えばアルミニウム合金により形成されている。
【００４５】
支持基体２５に直立した円柱形状のラジアル軸部２５ａの外側には、円筒形状をした内筒部材２６が固設され、ラジアル軸部と内筒部材２６とでラジアル固定部材を構成している。内筒部材２６はアルミナ、窒化珪素等のセラミック材料で形成される。
【００４６】
内筒部材２６の上下端部には、支持基体２５のラジアル軸部２５ａのほぼ垂直方向に、円板状をした上スラスト板２７と、下スラスト板２８とが固設され、スラスト固定部材を構成している。上スラスト板２７と下スラスト板２８は、アルミナ、窒化珪素等のセラミック材料で形成される。内筒部材２６、上スラスト板２７、下スラスト板２８は、ラジアル軸部２５ａに装着後、ネジ２５Ｓにより固定される。
【００４７】
ベース部材３１の上面には、複数のマグネットコイル２９を同一面上に配置したプリント基板３０が取り付けられている。２９Ａは、マグネットコイル２９に対向するステータヨークである。
【００４８】
支持基体２５、内筒部材２６、上スラスト板２７、下スラスト板２８、マグネットコイル２９、ステータヨーク２９Ａ、プリント基板３０、ベース部材３１は一体となってステータユニットを形成している。
【００４９】
ステータユニットに装着されたロータユニットは、外筒部材２２の回転中心に対して、回転多面鏡２１及びフランジ部材２３が正確に回転し、動的バランスが最小限に修正可能である。
【００５０】
［光偏向器の保護ケースの第１の実施の形態］
図３（ａ）は本発明の請求項１に係る光偏向器２０の水平断面図、図３（ｂ）はＡ−Ａ断面図、図３（ｃ）は部分拡大断面図である。
【００５１】
回転多面鏡２１、フランジ部材２３、上スラスト板２７はロータユニットを形成し、磁石２４とマグネットコイル２９によって高速回転される。支持基体２５等から成るステータユニットは空気動圧軸受を介してロータユニットを回転可能に支持している。
【００５２】
光偏向器２０を収容する保護ケース３２内には、回転多面鏡２１を回転自在に収容する回転空間３２Ａが形成されている。回転空間３２Ａは回転多面鏡２１の回転中心とほぼ一致する中心を有するほぼ円筒形状に形成されている。
【００５３】
保護ケース３２には、回転多面鏡２１に対してレーザビームを入射、出射させるスリット３２Ｂが穿設されている。スリット３２Ｂには防音ガラス３３が取り付けられている。スリット３２Ｂは、幅寸法がレーザビームのビーム径より僅かに大きく形成され、長さ寸法が像担持体１への画像書き込みのために必要な走査角度を得られる寸法に形成されている。
【００５４】
防音ガラス３３の開口部３２Ｃ側の平面と、保護ケース３２の開口部３２Ｃの端部において防音ガラス３３に当接する位置のおける内壁面とのなす角度θを、θ＞１１０°に形成した。
【００５５】
図３（ｃ）に示す保護ケース３２の開口部３２Ｃ側の端部は、防音ガラス３３の内側端面部３３ａの下端部近傍と底面部３３ｂとの近傍を支持する。
【００５６】
図４は保護ケース３２と防音ガラス３３の他の実施の形態を示す部分拡大断面図である。
【００５７】
図４（ａ）に示す保護ケース３２の開口部３２Ｃ側の端部は、防音ガラス３３の底面部３３ｂを支持する。
【００５８】
図４（ｂ）に示す保護ケース３２の開口部３２Ｃ側の端部は、防音ガラス３３の外側端面部３３ｃと底面部３３ｂ近傍を支持する。
【００５９】
図４（ｃ）に示す保護ケース３２の開口部３２Ｃ側の端部は、防音ガラス３３の底面部３３ｂの外側近傍の一部を支持する。
【００６０】
図４（ｄ）に示す保護ケース３２の開口部３２Ｃ側の端部は、防音ガラス３３の内側端面部３３ｃの下端部近傍と底面部３３ｂ近傍を支持する。
【００６１】
防音ガラス３３の開口部３２Ｃ側の平面と、保護ケース３２の開口部３２Ｃの端部において防音ガラス３３に当接する位置のおける内壁面とのなす角度θを、θ＞１１０°に形成する事により、防音ガラスに近い空間部と防音ガラスから遠い空間部とに圧力差が減少し、騒音の発生を低減させる事ができる。
【００６２】
【表１】
2005301081.tif 000003
【００６３】
表１は、角度θ［ｄｅｇ］、騒音ピーク値ｄＢ（Ａ）の検討結果を示す。図５は騒音ピークの特性図である。
【００６４】
図５の特性図に示すように、角度θが１１０°近傍で騒音ピーク値が変曲点になり、この角度θが１１０°近傍では、騒音ピーク値が急激に減少する。即ち、角度θ＝９０°での騒音ピーク値が６０ｄＢ（Ａ）に比して、角度θ＝１１０°では−３ｄＢ（Ａ）の著しい低下が現れる。
【００６５】
［光偏向器の保護ケースの第２の実施の形態］
図６は光偏向器２０の空間領域Ｚを説明する図、図７は光偏向器２０の圧縮緩和領域Ｗを説明する図であり、図６（ａ）、図７（ａ）は光偏向器２０の水平断面図、図６（ｂ）、図７（ｂ）はＡ−Ａ断面図である。
【００６６】
Ｒ１：回転多面鏡２１の光反射面２１ａの法線で回転多面鏡２１の回転中心を通る最小回転半径
Ｒ２：回転多面鏡２１の回転中心から回転多面鏡２１の稜線部２１ｂまでの最大回転半径
Ａ１：最小回転半径Ｒ１による回転軌跡（図示の内側の破線）
Ａ２：最大回転半径Ｒ２による回転軌跡（図示の外側の破線）
Ｚ：最小回転半径Ｒ１による回転軌跡と最大回転半径Ｒ２による回転軌跡とに挟まれる空間領域（図６（ａ）、図７（ａ）の破線で囲まれる領域）
ｔ：回転多面鏡２１の回転軸方向の厚み
ｒ：空間領域Ｚで回転多面鏡２１のあらゆる面からの所定距離
Ｗ：所定距離ｒだけ離れ、回転多面鏡２１の回転時の圧縮を緩和する圧縮緩和領域（包絡曲面）
と定義したとき、所定距離ｒを回転多面鏡２１の厚みｔの１倍乃至３倍とし、且つ、圧縮緩和領域Ｗには、保護ケース３２、防音ガラス３３、その他あらゆる部材を配置しない構成とする。
【００６７】
図８（ａ）は、空間領域Ｚで回転多面鏡２１のあらゆる面からの所定距離ｒと騒音の関係を示す特性図である。
【００６８】
マイクは床面から直上３０ｃｍの位置で、回転多面鏡２１の回転中心の延長上に配置した。計測には防音箱を用いた。図示のＸ軸は所定距離ｒ（ｍｍ）、Ｙ軸は騒音［ｄＢ（Ａ）］である。回転多面鏡２１の回転数は、２０〜６０ｋｒｐｍで比較検討した。
【００６９】
所定距離ｒが３ｍｍ未満では騒音が著しく発生するが、所定距離ｒが３〜９ｍｍの範囲内で騒音低減の効果が大きい。所定距離ｒが９ｍｍ以上では騒音低減の効果の変化は少ない。
【００７０】
図８（ｂ）は、所定距離ｒ、最大回転半径Ｒ２と、騒音の関係を示す特性図である。
【００７１】
図示のＸ軸は回転多面鏡２１の稜線部２１ｂまでの最大半径Ｒ２と所定距離ｒとの比（Ｒ２／ｒ）、Ｙ軸は騒音［ｄＢ（Ａ）］である。
【００７２】
図示のＸ軸は所定距離ｒ（ｍｍ）、Ｙ軸は騒音［ｄＢ（Ａ）］である。
【００７３】
比（Ｒ２／ｒ）が０．０８〜０．２５の範囲内で騒音低減の効果が大きい。比（Ｂ／ｒ）が０．２５以上では騒音低減の効果の変化は少ない。
【００７４】
［光偏向器の保護ケースの第３の実施の形態］
図９（ａ）は本発明の請求項３に係る光偏向器２０の水平断面図、図９（ｂ）はＡ−Ａ断面図、図９（ｃ）は部分拡大断面図である。
【００７５】
Ｒ：回転多面鏡２１の回転多面鏡２１の回転中心から稜線部２１ｂまでの最大回転半径、
Ｓ：回転多面鏡２１の回転中心からの半径
ｔ：回転多面鏡２１の回転軸方向の厚み
Ｆ：（Ｓ−Ｒ）×ｔの回転軌跡により形成される空間領域、即ち、回転多面鏡２１の回転中心からの半径Ｓによる回転軌跡と、回転多面鏡２１の最大回転半径Ｒによる回転軌跡との間に挟まれた面積に、回転多面鏡２１の厚みｔを乗じた空間領域（Ｆ＝π（Ｓ−Ｒ）2×ｔ、πは円周率）、
空間領域Ｆの半径Ｓを、Ｓ≧１．２Ｒに設定し、且つ、空間領域Ｆには、保護ケース、前記防音ガラスが接触しないように構成した構成とする。
【００７６】
図１０は、半径Ｓと、回転多面鏡２１の最大回転半径Ｒと、騒音の関係を示す特性図である。
【００７７】
マイクは床面から直上３０ｃｍの位置で、回転多面鏡２１の回転中心の延長上に配置した。計測には防音箱を用いた。
【００７８】
図１０（ａ）において、Ｘ軸は半径Ｓと最大回転半径Ｒとの比Ｓ／Ｒ、Ｙ軸は騒音［ｄＢ（Ａ）］を示す。回転多面鏡２１の回転数は、３０〜５３ｋｒｐｍで比較検討した。
【００７９】
空間領域Ｆの半径Ｓ、回転多面鏡２１の最大回転半径Ｒ、騒音［ｄＢ（Ａ）］の検討結果、比Ｓ／Ｒが１．２以上で騒音が著しく低減する。
【００８０】
図１０（ｂ）において、Ｘ軸は半径Ｓと最大回転半径Ｒとの差（Ｓ−Ｒ）、Ｙ軸は騒音［ｄＢ（Ａ）］を示す。
【００８１】
差（Ｓ−Ｒ）が１０ｍｍ〜２５ｍｍで騒音が著しく低減する。
【００８２】
以上に説明したように、本発明の回転多面鏡及び回転部材の回転により発生する周囲の空気を整流し、ロータユニットの周辺に配置された部材の形状が変わっても、等速回転中のジッタの変化が小さく抑えられて、回転ムラと騒音発生が低減される。
【図面の簡単な説明】
【００８３】
【図１】保護カバーを外した状態の光走査装置の一実施の形態を示す斜視図。
【図２】光偏向器の斜視図。
【図３】請求項１に係る光偏向器の水平断面図、Ａ−Ａ断面図、部分拡大断面図。
【図４】保護ケースと防音ガラスの他の実施の形態を示す部分拡大断面図。
【図５】騒音ピークの特性図。
【図６】請求項２に係る光偏向器の空間領域を示す水平断面図、Ａ−Ａ断面図。
【図７】光偏向器の圧縮緩和領域を示す水平断面図、Ａ−Ａ断面図。
【図８】空間領域で回転多面鏡面からの所定距離、回転多面鏡の最大回転半径、騒音との関係を示す特性図。
【図９】請求項３に係る光偏向器の水平断面図、Ａ−Ａ断面図、部分拡大断面図。
【図１０】半径と、回転多面鏡の最大回転半径と、騒音の関係を示す特性図。
【符号の説明】
【００８４】
１０  光走査装置
２０  光偏向器
２１  回転多面鏡
３２  保護ケース
３２Ａ  回転空間
３２Ｃ  開口部
３３  防音ガラス
Ｆ，Ｚ  空間領域
Ｌ  光ビーム
Ｒ，Ｒ２  最大回転半径
Ｒ１  最小回転半径
Ｓ  回転多面鏡の回転中心からの半径
Ｗ  圧縮緩和領域
ｔ  厚み
θ  角度
【図１】
2005301081.tif 000004
【図２】
2005301081.tif 000005
【図３】
2005301081.tif 000006
【図４】
2005301081.tif 000007
【図５】
2005301081.tif 000008
【図６】
2005301081.tif 000009
【図７】
2005301081.tif 000010
【図８】
2005301081.tif 000011
【図９】
2005301081.tif 000012
【図１０】
2005301081.tif 000013